(57)【要約】【課題】  長時間連続で使用する場合であっても蛍光体が発熱することなく安定した投影が可能な光源ユニットと、この光源ユニットを備えたプロジェクタと、を提供する。【解決手段】  プロジェクタは、光源ユニットと、表示素子と、導光光学系と、投影側光学系と、光源ユニットを制御する光源制御手段と、を備え、光源ユニットは、励起光を射出する励起光照射装置と、励起光照射装置からの射出光を励起光として緑色波長帯域の蛍光光を射出する蛍光ホイールと、蛍光ホイール及び各光源装置から発せられる光を所定の一面に集光する光源側光学系と、から構成され、光源制御手段は、励起光照射装置、赤色光源装置、青色光源装置が順次一度ずつ点灯した場合に要する時間が、蛍光ホイールが１回転するのに要する時間の整数倍とならないように励起光照射装置、赤色光源装置、青色光源装置を時分割制御すると共に蛍光ホイールの回転速度を制御する。【選択図】    図５
2011095391.tif 000002
【特許請求の範囲】
【請求項１】
励起光を射出する励起光照射装置と、
該励起光照射装置からの射出光を励起光として所定波長帯域の蛍光光を射出する蛍光体が、少なくとも前記励起光が通過する周方向全域に敷設された蛍光ホイールと、
前記蛍光ホイールから射出される波長帯域とは異なる波長帯域の光を射出する二種類の光源装置と、
前記蛍光ホイールから発せられる蛍光光と前記二種類の光源装置から発せられる光とを所定の一面に集光する光源側光学系と、
前記励起光照射装置及び前記二種類の光源装置とを時分割制御すると共に、前記蛍光ホイールの回転を制御する光源制御手段と、を備え、
前記光源制御手段は、前記励起光照射装置及び前記二種類の光源装置が順次一度ずつ点灯した場合に要する時間が、前記蛍光ホイールが１回転するのに要する時間の整数倍とならないように前記励起光照射装置及び前記二種類の光源装置を時分割制御すると共に前記蛍光ホイールの回転速度を制御することを特徴とする光源ユニット。
【請求項２】
前記蛍光ホイールに敷設された蛍光体は、前記励起光照射装置からの射出光を受けて緑色波長帯域の蛍光光を射出する緑色蛍光体とされ、
前記二種類の光源装置は、赤色波長帯域光を射出する赤色光源装置及び青色波長帯域光を射出する青色光源装置とされることを特徴とする請求項１に記載の光源ユニット。
【請求項３】
前記光源制御手段は、前記蛍光ホイールが１回転するのに要する時間を、前記励起光照射装置及び前記二種類の光源装置が順次一度ずつ点灯した場合に要する時間で除した数が無理数となるように前記励起光照射装置及び前記二種類の光源装置を時分割制御すると共に前記蛍光ホイールの回転速度を制御することを特徴とする請求項１又は請求項２に記載の光源ユニット。
【請求項４】
励起光を射出する励起光照射装置と、該励起光照射装置からの射出光を励起光として所定波長帯域の蛍光光を射出する蛍光体が、少なくとも前記励起光が通過する周方向全域に敷設された蛍光ホイールと、前記蛍光ホイールから射出される波長帯域とは異なる波長帯域の光を射出する二種類の光源装置と、前記蛍光ホイールから発せられる蛍光光と前記二種類の光源装置から発せられる光とを所定の一面に集光する光源側光学系と、前記励起光照射装置及び前記二種類の光源装置とを時分割制御すると共に、前記蛍光ホイールの回転を制御する光源制御手段とを備え、前記光源制御手段は、前記励起光照射装置及び前記二種類の光源装置からの光を用いて１フレームの画像を生成するのに要する時間が、前記蛍光ホイールが１回転するのに要する時間の整数倍とならないように前記励起光照射装置及び前記二種類の光源装置を時分割制御すると共に前記蛍光ホイールの回転速度を制御する光源ユニットと、
前記光源ユニットからの光を変調して画像を生成する表示素子と、
前記光源ユニットからの光を前記表示素子に導光する導光光学系と、
前記表示素子から射出された画像をスクリーンに投影する投影側光学系と、
前記光源ユニットや表示素子を制御するプロジェクタ制御手段と、
を備えることを特徴とするプロジェクタ。
【発明の詳細な説明】
【技術分野】
【０００１】
本発明は、光源ユニットと、この光源ユニットを備えたプロジェクタに関する。
【背景技術】
【０００２】
今日、パーソナルコンピュータの画面やビデオ画像、更にメモリカード等に記憶されている画像データによる画像等をスクリーンに投影する画像投影装置としてのデータプロジェクタが多用されている。このプロジェクタは、光源から射出された光をＤＭＤ（デジタル・マイクロミラー・デバイス）と呼ばれるマイクロミラー表示素子、又は、液晶板に集光させ、スクリーン上にカラー画像を表示させるものである。
【０００３】
このようなプロジェクタにおいて、従来は白色光を射出する高輝度の放電ランプを光源として用い、白色光にカラーホイールで着色することでカラー画像を投影するものが主流であった。しかしながら、このような白色光にカラーホイールで着色する構成のプロジェクタは、白色光から所定波長帯域光のみを抽出して投影するものであるため、光源から射出される光線束の利用効率が低いという問題点があった。また、高輝度の放電ランプは寿命が短いという問題点もあった。
【０００４】
そこで、近年、発光ダイオード（ＬＥＤ）やレーザーダイオード（ＬＤ）、あるいは、有機ＥＬ等の固体発光素子（半導体発光素子）を光源として用いたプロジェクタの開発や提案が多々なされている。
【０００５】
例えば、特開２００４−３４１１０５号公報（特許文献１）では、透明の円板に蛍光体が周方向に敷設されてなる蛍光ホイールと、固体発光素子としての紫外線発光ダイオードと、を備えた光源ユニットの提案がなされている。この特許文献１の提案における光源ユニットは、蛍光ホイールに裏面側から励起光としての紫外線を照射し、蛍光ホイールの表面側から射出される蛍光光を光源光として利用する構成とされている。
【先行技術文献】
【特許文献】
【０００６】
【特許文献１】特開２００４−３４１１０５号公報
【発明の概要】
【発明が解決しようとする課題】
【０００７】
上述した特許文献１に記載の発明では、赤色蛍光体、緑色蛍光体、青色蛍光体を紫外線によって励起し、蛍光体から発光された蛍光光を表示素子のマイクロミラーでＯＮＯＦＦを切り換えることにより画像を生成している。よって、放電ランプから射出された白色光にカラーホイールで着色する場合と比較して、光源から射出される光線束の利用効率を高めることができる。
【０００８】
しかしながら、上述したプロジェクタでは、蛍光ホイールの周方向に三色の蛍光体を並設し、この蛍光ホイールに励起光を照射し続ける構成とされているため、蛍光体が発熱して蛍光体の発光効率が低下し、赤色、緑色、青色蛍光光に輝度ムラ等が生じて高品質な画像を投影できないことがあるという問題点があった。また、赤色、緑色、青色の蛍光体が色によって輝度や彩度が異なり、投影しようとしている色を再現できないことがあるという問題点もあった。さらに、励起光源を常時点灯させているため、励起光源の経年劣化が早くなり、製品寿命が短くなるという問題点もあった。
【０００９】
本発明は、このような従来技術の問題点に鑑みてなされたものであり、長時間連続で使用する場合であっても蛍光体が発熱することなく安定した投影が可能な光源ユニットと、この光源ユニットを備えたプロジェクタと、を提供することを目的としている。
【課題を解決するための手段】
【００１０】
本発明の光源ユニットは、励起光を射出する励起光照射装置と、該励起光照射装置からの射出光を励起光として所定波長帯域の蛍光光を射出する蛍光体が、少なくとも前記励起光が通過する周方向全域に敷設された蛍光ホイールと、前記蛍光ホイールから射出される波長帯域とは異なる波長帯域の光を射出する二種類の光源装置と、前記蛍光ホイールから発せられる蛍光光と前記二種類の光源装置から発せられる光とを所定の一面に集光する光源側光学系と、前記励起光照射装置及び前記二種類の光源装置とを時分割制御すると共に、前記蛍光ホイールの回転を制御する光源制御手段と、を備え、前記光源制御手段は、前記励起光照射装置及び前記二種類の光源装置が順次一度ずつ点灯した場合に要する時間が、前記蛍光ホイールが１回転するのに要する時間の整数倍とならないように前記励起光照射装置及び前記二種類の光源装置を時分割制御すると共に前記蛍光ホイールの回転速度を制御することを特徴とする。
【００１１】
また、本発明の光源ユニットにおいて、前記蛍光ホイールに敷設された蛍光体は、前記励起光照射装置からの射出光を受けて緑色波長帯域の蛍光光を射出する緑色蛍光体とされ、前記二種類の光源装置は、赤色波長帯域光を射出する赤色光源装置及び青色波長帯域光を射出する青色光源装置とされることを特徴とする。
【００１２】
さらに、本発明の光源ユニットにおいて、前記光源制御手段は、前記蛍光ホイールが１回転するのに要する時間を、前記励起光照射装置及び前記二種類の光源装置が順次一度ずつ点灯した場合に要する時間で除した数が無理数となるように前記励起光照射装置及び前記二種類の光源装置を時分割制御すると共に前記蛍光ホイールの回転速度を制御することを特徴とする。
【００１３】
本発明のプロジェクタは、励起光を射出する励起光照射装置と、該励起光照射装置からの射出光を励起光として所定波長帯域の蛍光光を射出する蛍光体が、少なくとも前記励起光が通過する周方向全域に敷設された蛍光ホイールと、前記蛍光ホイールから射出される波長帯域とは異なる波長帯域の光を射出する二種類の光源装置と、前記蛍光ホイールから発せられる蛍光光と前記二種類の光源装置から発せられる光とを所定の一面に集光する光源側光学系と、前記励起光照射装置及び前記二種類の光源装置とを時分割制御すると共に、前記蛍光ホイールの回転を制御する光源制御手段とを備え、前記光源制御手段は、前記励起光照射装置及び前記二種類の光源装置からの光を用いて１フレームの画像を生成するのに要する時間が、前記蛍光ホイールが１回転するのに要する時間の整数倍とならないように前記励起光照射装置及び前記二種類の光源装置を時分割制御すると共に前記蛍光ホイールの回転速度を制御する光源ユニットと、前記光源ユニットからの光を変調して画像を生成する表示素子と、前記光源ユニットからの光を前記表示素子に導光する導光光学系と、前記表示素子から射出された画像をスクリーンに投影する投影側光学系と、前記光源ユニットや表示素子を制御するプロジェクタ制御手段と、を備えることを特徴とする。
【発明の効果】
【００１４】
本発明によれば、長時間連続で使用する場合であっても蛍光体が発熱することなく安定した投影が可能な光源ユニットと、この光源ユニットを備えたプロジェクタと、を提供することができる。
【図面の簡単な説明】
【００１５】
【図１】本発明の実施例に係るプロジェクタを示す外観斜視図である。
【図２】本発明の実施例に係るプロジェクタの機能回路ブロック図である。
【図３】本発明の実施例に係るプロジェクタの内部構造を示す平面模式図である。
【図４】本発明の実施例に係る蛍光ホイールの正面模式図及び断面模式図である。
【図５】本発明の実施例に係る光源ユニットの各光源の点灯周期と蛍光ホイールの回転との関係を表す図である。
【図６】本発明の実施例に係る光源ユニットの各光源の点灯周期と蛍光ホイールの回転との関係を表す図である。
【発明を実施するための形態】
【００１６】
以下、本発明を実施するための形態について述べる。本発明のプロジェクタ10は、光源ユニット60と、表示素子51と、光源ユニット60からの光を表示素子51に導光する導光光学系170と、表示素子51から射出された画像をスクリーンに投影する投影側光学系220と、光源ユニット60や表示素子51を制御するプロジェクタ制御手段と、を備える。
【００１７】
この光源ユニット60は、励起光を射出する励起光照射装置70と、励起光照射装置70からの射出光を励起光として所定波長帯域の蛍光光を射出する蛍光体が、少なくとも前記励起光が通過する周方向全域に敷設された蛍光ホイール101と、蛍光ホイール101から射出される波長帯域とは異なる波長帯域の光を射出する二種類の光源装置120,300と、蛍光ホイール101から発せられる蛍光光と二種類の光源装置120,300から発せられる光とを所定の一面に集光する光源側光学系140と、励起光照射装置70及び二種類の光源装置120,300とを時分割制御すると共に、蛍光ホイール101の回転を制御する光源制御手段と、を備える。
【００１８】
また、蛍光ホイール101に敷設された蛍光体は、励起光照射装置70からの射出光を受けて緑色波長帯域の蛍光光を射出する緑色蛍光体であり、二種類の光源装置120,300は、赤色波長帯域光を射出する赤色光源装置120及び青色波長帯域光を射出する青色光源装置300である。さらに、励起光照射装置70は、青色波長帯域光を射出するレーザー発光器としての励起光源71を備え、赤色光源装置120は、赤色波長帯域光を射出する赤色発光ダイオードとしての赤色光源121を備え、青色光源装置300は、青色波長帯域光を射出する青色発光ダイオードとしての青色光源301を備えている。
【００１９】
そして、光源制御手段は、励起光照射装置70の励起光源71、赤色光源装置120の赤色光源121、青色光源装置300の青色光源301が順次一度ずつ点灯した場合に要する時間が、蛍光ホイール101が１回転するのに要する時間の整数倍とならないように各光源71,121,301を時分割制御すると共にホイールモータ110を制御して蛍光ホイール101の回転速度を制御する。
【００２０】
さらに、本発明の光源ユニット60において、光源制御手段は、蛍光ホイール101が１回転するのに要する時間を、励起光源71、赤色光源121、青色光源301が順次一度ずつ点灯した場合に要する時間で除した数が無理数となるように励起光源71、赤色光源121、青色光源301を夫々時分割制御すると共に、蛍光ホイール101の回転速度を制御する。
【実施例】
【００２１】
以下、本発明の実施例を図に基づいて詳説する。図１は、プロジェクタ10の外観斜視図である。なお、本実施例において、プロジェクタ10における左右とは投影方向に対しての左右方向を示し、前後とはプロジェクタ10のスクリーン側方向及び光線束の進行方向に対しての前後方向を示す。
【００２２】
そして、プロジェクタ10は、図１に示すように、略直方体形状であって、プロジェクタ筐体の前方の側板とされる正面パネル12の側方に投影口を覆うレンズカバー19を有するとともに、この正面パネル12には複数の吸気孔18を設けている。さらに、図示しないがリモートコントローラからの制御信号を受信するＩｒ受信部を備えている。
【００２３】
また、筐体の上面パネル11にはキー／インジケータ部37が設けられ、このキー／インジケータ部37には、電源スイッチキーや電源のオン又はオフを報知するパワーインジケータ、投影のオン、オフを切りかえる投影スイッチキー、光源ユニットや表示素子又は制御回路等が過熱したときに報知をする過熱インジケータ等のキーやインジケータが配置されている。
【００２４】
さらに、筐体の背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子20が設けられている。また、背面パネルには、複数の吸気孔18が形成されている。なお、図示しない筐体の側板である右側パネル、及び、図１に示した側板である左側パネル15には、各々複数の排気孔17が形成されている。また、左側パネル15の背面パネル近傍の隅部には、吸気孔18も形成されている。さらに、図示しない下面パネルにおける正面、背面、左側及び右側パネルの近傍にも、吸気孔あるいは排気孔が複数形成されている。
【００２５】
次に、プロジェクタ10のプロジェクタ制御手段について図２のブロック図を用いて述べる。プロジェクタ制御手段は、制御部38、入出力インターフェース22、画像変換部23、表示エンコーダ24、表示駆動部26等から構成され、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に出力される。
【００２６】
また、表示エンコーダ24は、入力された画像信号をビデオＲＡＭ25に展開記憶させた上でこのビデオＲＡＭ25の記憶内容からビデオ信号を生成して表示駆動部26に出力する。
【００２７】
表示駆動部26は、表示素子制御手段として機能するものであり、表示エンコーダ24から出力された画像信号に対応して適宜フレームレートで空間的光変調素子（ＳＯＭ）である表示素子51を駆動するものであり、光源ユニット60から射出された光線束を導光光学系を介して表示素子51に照射することにより、表示素子51の反射光で光像を形成し、後述する投影側光学系を介して図示しないスクリーンに画像を投影表示する。なお、この投影側光学系の可動レンズ群235は、レンズモータ45によりズーム調整やフォーカス調整のための駆動が行われる。
【００２８】
また、画像圧縮伸長部31は、画像信号の輝度信号及び色差信号をＡＤＣＴ及びハフマン符号化等の処理によりデータ圧縮して着脱自在な記録媒体とされるメモリカード32に順次書き込む記録処理を行う。さらに、画像圧縮伸長部31は、再生モード時にメモリカード32に記録された画像データを読み出し、一連の動画を構成する個々の画像データを１フレーム単位で伸長し、この画像データを画像変換部23を介して表示エンコーダ24に出力し、メモリカード32に記憶された画像データに基づいて動画等の表示を可能とする処理を行なう。
【００２９】
制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００３０】
筐体の上面パネル11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に出力される。
【００３１】
なお、制御部38にはシステムバス（ＳＢ）を介して音声処理部47が接続されている。この音声処理部47は、ＰＣＭ音源等の音源回路を備えており、投影モード及び再生モード時には音声データをアナログ化し、スピーカ48を駆動して拡声放音させる。
【００３２】
また、制御部38は、光源制御手段としての光源制御回路41を制御しており、この光源制御回路41は、画像生成時に要求される所定波長帯域の光源光が光源ユニット60から射出されるように、光源ユニット60の励起光照射装置、赤色光源装置及び青色光源装置の発光を個別に制御する。
【００３３】
さらに、制御部38は、冷却ファン駆動制御回路43に光源ユニット60等に設けた複数の温度センサによる温度検出を行わせ、この温度検出の結果から冷却ファンの回転速度を制御させている。また、制御部38は、冷却ファン駆動制御回路43にタイマー等によりプロジェクタ本体の電源ＯＦＦ後も冷却ファンの回転を持続させる、あるいは、温度センサによる温度検出の結果によってはプロジェクタ本体の電源をＯＦＦにする等の制御も行う。
【００３４】
次に、このプロジェクタ10の内部構造について述べる。図３は、プロジェクタ10の内部構造を示す平面模式図である。プロジェクタ10は、図３に示すように、右側パネル14の近傍に制御回路基板241を備えている。この制御回路基板241は、電源回路ブロックや光源制御ブロック等を備えてなる。また、プロジェクタ10は、制御回路基板241の側方、つまり、プロジェクタ筐体の略中央部分に光源ユニット60を備えている。さらに、プロジェクタ10は、光源ユニット60と左側パネル15との間に光学系ユニット160を備えている。
【００３５】
光源ユニット60は、プロジェクタ筐体の左右方向における略中央部分であって背面パネル13近傍に配置される励起光照射装置70と、この励起光照射装置70から射出される光線束の光軸上であって正面パネル12の近傍に配置される蛍光発光装置100と、この蛍光発光装置100から射出される光線束と平行となるように正面パネル12の近傍に配置される青色光源装置300と、励起光照射装置70と蛍光発光装置100との間に配置される赤色光源装置120と、蛍光発光装置100からの射出光や赤色光源装置120からの射出光、青色光源装置300からの射出光の光軸が夫々同一の光軸となるように変換して各色光を所定の一面であるライトトンネル175の入射口に集光する光源側光学系140と、を備える。
【００３６】
励起光照射装置70は、背面パネル13と光軸が平行になるよう配置された励起光源71と、励起光源71からの射出光の光軸を正面パネル12方向に９０度変換する反射ミラー群75と、反射ミラー群75で反射した励起光源71からの射出光を集光する集光レンズ78と、励起光源71と右側パネル14との間に配置されたヒートシンク81と、を備える。
【００３７】
励起光源71は、複数の青色レーザーダイオードがマトリクス状に配列されてなり、各青色レーザーダイオードの光軸上には、各青色レーザーダイオードからの射出光を平行光に変換するコリメータレンズ73が夫々配置されている。また、反射ミラー群75は、複数の反射ミラーが階段状に配列されてなり、励起光源71から射出される光線束の断面積を一方向に縮小して集光レンズ78に射出する。
【００３８】
ヒートシンク81と背面パネル13との間には冷却ファン261が配置されており、この冷却ファン261とヒートシンク81とによって励起光源71が冷却される。さらに、反射ミラー群75と背面パネル13との間にも冷却ファン261が配置されており、この冷却ファン261によって反射ミラー群75や集光レンズ78が冷却される。
【００３９】
蛍光発光装置100は、正面パネル12と平行となるように、つまり、励起光照射装置70からの射出光の光軸と直交するように配置された蛍光ホイール101と、この蛍光ホイール101を回転駆動するホイールモータ110と、蛍光ホイール101から背面パネル13方向に射出される光線束を集光する集光レンズ群111と、を備える。
【００４０】
蛍光ホイール101は、図４に示すように、円板状の金属基材であって、励起光源71からの射出光を励起光として緑色波長帯域の蛍光発光光を射出する環状の蛍光発光領域が凹部として形成され、励起光を受けて蛍光発光する蛍光板として機能する。また、蛍光発光領域を含む蛍光ホイール101の励起光源71側の表面は、銀蒸着等によってミラー加工されることで光を反射する反射面が形成され、この反射面上に緑色蛍光体の層103が敷設されている。
【００４１】
そして、蛍光ホイール101の緑色蛍光体層103に照射された励起光照射装置70からの射出光は、緑色蛍光体層103における緑色蛍光体を励起し、緑色蛍光体から全方位に蛍光発光された光線束は、直接励起光源71側へ、あるいは、蛍光ホイール101の反射面で反射した後に励起光源71側へ射出される。また、蛍光体の層103の蛍光体に吸収されることなく、金属基材に照射された励起光は、反射面により反射されて再び蛍光体層103に入射し、蛍光体層103を励起することとなる。よって、蛍光ホイール101の凹部の表面を反射面とすることにより、励起光源71から射出される励起光の利用効率を上げることができ、より明るく発光させることができる。
【００４２】
なお、蛍光ホイール101の反射面で蛍光体層103側に反射された励起光において蛍光体に吸収されることなく励起光源71側に射出された励起光は、後述する第一ダイクロイックミラー141を透過し、蛍光光は第一ダイクロイックミラー141により反射されるため、励起光が外部に射出されることはない。そして、図３に示したように、ホイールモータ110と正面パネル12との間には冷却ファン261が配置されており、この冷却ファン261によって蛍光ホイール101が冷却される。
【００４３】
赤色光源装置120は、励起光源71と光軸が平行となるように配置された赤色光源121と、赤色光源121からの射出光を集光する集光レンズ群125と、を備える。そして、この赤色光源装置120は、励起光照射装置70からの射出光及び蛍光ホイール101から射出される緑色波長帯域光と光軸が交差するように配置されている。また、赤色光源121は、赤色の波長帯域光を発する半導体発光素子としての赤色発光ダイオードである。さらに、赤色光源装置120は、赤色光源121の右側パネル14側に配置されるヒートシンク130を備える。そして、ヒートシンク130と正面パネル12との間には冷却ファン261が配置されており、この冷却ファン261によって赤色光源121が冷却される。
【００４４】
青色光源装置300は、蛍光発光装置100からの射出光の光軸と平行となるように配置された青色光源301と、青色光源301からの射出光を集光する集光レンズ群305と、を備える。そして、この青色光源装置300は、赤色光源装置120からの射出光と光軸が交差するように配置されている。また、青色光源301は、青色の波長帯域光を発する半導体発光素子としての青色発光ダイオードである。さらに、青色光源装置300は、青色光源301の正面パネル12側に配置されるヒートシンク310を備える。そして、ヒートシンク310と正面パネル12との間には冷却ファン261が配置されており、この冷却ファン261によって青色光源301が冷却される。
【００４５】
そして、光源側光学系140は、赤色、緑色、青色波長帯域の光線束を集光させる集光レンズや、各色波長帯域の光線束の光軸を変換して同一の光軸とさせるダイクロイックミラー等からなる。具体的には、励起光照射装置70から射出される青色波長帯域光及び蛍光ホイール101から射出される緑色波長帯域光の光軸と、赤色光源装置120から射出される赤色波長帯域光の光軸と、が交差する位置に、青色及び赤色波長帯域光を透過し、緑色波長帯域光を反射してこの緑色光の光軸を左側パネル15方向に９０度変換する第一ダイクロイックミラー141が配置されている。
【００４６】
また、青色光源装置300から射出される青色波長帯域光の光軸と、赤色光源装置120から射出される赤色波長帯域光の光軸と、が交差する位置に、青色波長帯域光を透過し、緑色及び赤色波長帯域光を反射してこの緑色及び赤色光の光軸を背面パネル13方向に９０度変換する第二ダイクロイックミラー148が配置されている。そして、第一ダイクロイックミラー141と第二ダイクロイックミラー148との間には、集光レンズが配置されている。
【００４７】
光学系ユニット160は、励起光照射装置70の左側方に位置する照明側ブロック161と、背面パネル13と左側パネル15とが交差する位置の近傍に位置する画像生成ブロック165と、光源側光学系140と左側パネル15との間に位置する投影側ブロック168と、の３つのブロックによって略コの字状に構成されている。
【００４８】
この照明側ブロック161は、光源ユニット60から射出された光源光を画像生成ブロック165が備える表示素子51に導光する導光光学系170の一部を備えている。この照明側ブロック161が有する導光光学系170としては、光源ユニット60から射出された光線束を均一な強度分布の光束とするライトトンネル175や、このライトトンネル175の入射面に光源光を集光する集光レンズ173、ライトトンネル175から射出された光を集光する集光レンズ178、ライトトンネル175から射出された光線束の光軸を画像生成ブロック165方向に変換する光軸変換ミラー181等がある。
【００４９】
画像生成ブロック165は、導光光学系170として、光軸変換ミラー181で反射した光源光を表示素子51に集光させる集光レンズ183と、この集光レンズ183を透過した光線束を表示素子51に所定の角度で照射する照射ミラー185と、を有している。さらに、画像生成ブロック165は、表示素子51とするＤＭＤを備え、この表示素子51と背面パネル13との間には表示素子51を冷却するためのヒートシンク190が配置されて、このヒートシンク190によって表示素子51が冷却される。また、表示素子51の正面近傍には、投影側光学系220としての集光レンズ195が配置されている。
【００５０】
投影側ブロック168は、表示素子51で反射されたオン光をスクリーンに放出する投影側光学系220のレンズ群を有している。この投影側光学系220としては、固定鏡筒に内蔵する固定レンズ群225と可動鏡筒に内蔵する可動レンズ群235とを備えてズーム機能を備えた可変焦点型レンズとされ、レンズモータにより可動レンズ群235を移動させることによりズーム調整やフォーカス調整を可能としている。
【００５１】
次にこのような構成とされた光源ユニット60における光源制御方法について述べる。上述したように、本実施例のプロジェクタ10では、赤色波長帯域光に関しては赤色光源121から、緑色波長帯域光に関しては励起光照射装置70からの射出光を励起光として発光する蛍光ホイール101から、青色波長帯域光に関しては青色光源301から夫々射出される構成とされている。
【００５２】
そして、赤色光源121、励起光源71、青色光源301は、光源制御手段としての光源制御回路41により時分割制御されて、赤色波長帯域光、緑色波長帯域光、青色波長帯域光の順に表示素子51へ各波長帯域光を順次射出する構成とされている。また、各光源71,121,301は、光源制御回路41によりデューティ駆動されている。つまり、赤色光源121点灯、励起光源71点灯、青色光源点灯301の順で各光源71,121,301を点灯させ、所定の光源が点灯している場合は、他の光源が消灯した状態となる。
【００５３】
よって、各光源71,121,301には、点灯していない時間ができるため、平均電流値を低く抑えることができ、点灯時に各光源71,121,301に高電圧を印加したとしても常時点灯の場合と比較して半導体発光素子が経年劣化する速度を抑え、長寿命化を図ることができる。また、各光源71,121,301に高電圧を印加できるため、各光源71,121,301の発光時における出力を高めて、高輝度な画像を投影可能となる。
【００５４】
このような光源ユニット60においては、上述のように各光源71,121,301はそれぞれ時分割駆動されるため、励起光源71からの励起光を受けて発光する蛍光ホイール101に敷設された蛍光体の1フレームにおける励起光源71の点灯時間及び蛍光ホイール101の回転速度に基づく範囲に励起光が照射されることとなる。一方で蛍光体には、温度が所定温度以上、特に１００℃を超えると発光効率が下がるという特性がある。よって、蛍光ホイール101の同じ位置に常時励起光源71からの射出光が照射されると、励起光が照射された部分に位置する蛍光体の温度が上昇し、発光効率が下がって蛍光光の光量が減り、投影画像における輝度の低下等の原因となる。
【００５５】
さらには、蛍光ホイール101の同じ位置に常時励起光源71からの射出光が照射されると、励起光が照射された部分に位置する蛍光体が劣化しやすくなり、蛍光体が焼付いたり剥離してしまう恐れもある。
【００５６】
本発明では、このような蛍光体の局所的な温度上昇を防止するために、蛍光ホイール101の回転周期（サイクル）が、各光源71,121,301の時分割周期（フレーム）の整数倍にならないよう蛍光ホイール101の回転及び赤色光源121、励起光源71、青色光源301の点灯を制御している。つまり、図５に示すように、赤色光源121、励起光源71、青色光源301が夫々１回ずつ順に点灯した場合である各光源71,121,301の点灯周期１フレームに要する時間が、蛍光ホイール101の１サイクルに要する時間の整数倍にならないよう各光源71,121,301を時分割制御すると共にホイールモータ110を制御することで蛍光ホイール101の回転速度を制御している。
【００５７】
このように各光源71,121,301を点灯制御及び蛍光ホイール101の回転速度を制御することにより、励起光源71から射出された光線束の蛍光ホイール101に照射される位置が、各光源71,121,301のフレーム数によって変わるため、蛍光ホイール101の所定の箇所に常に励起光が照射されて蛍光ホイール101が局所的に熱を帯びるといった現象が生じることを防止できる。
【００５８】
また、蛍光ホイール101が局所的に熱くなることを防止できるため、蛍光体の発光効率を常に一定に保つことができ、長時間連続で使用した場合であっても投影画像に輝度ムラなどが生じることを防止できる。
【００５９】
なお、上述した実施例においては、各光源71,121,301の１フレームに要する時間が、蛍光ホイール101の１サイクルに要する時間の整数倍とならないように各光源71,121,301及び蛍光ホイール101を制御するとしているが、これは、蛍光ホイール101の回転速度を常時一定とし、各光源71,121,301の点灯時間のみを制御する、あるいは、蛍光ホイール101の回転速度と各光源71,121,301の点灯時間とのいずれもを可変制御する構成としても本実施例の目的を達成できる。
【００６０】
また、図５においては、赤色光源121、励起光源71、青色光源301が夫々点灯する１フレームに要する時間が、蛍光ホイール101の１サイクルに要する時間よりも短い場合について記載しているが、図６に示すように、各光源71,121,301の点灯周期である１フレームが蛍光ホイール101の１サイクルに要する時間よりも長い場合であっても、各光源71,121,301の１フレームに要する時間が、蛍光ホイール101の１サイクルに要する時間の整数倍とならないように各光源71,121,301及び蛍光ホイール101を制御することで同様の効果が得られる。
【００６１】
例えば、赤色波長帯域の光量が不足している場合には励起光源71や青色光源301の点灯時間よりも赤色光源121の点灯時間を長くするといった制御をすることができるが、この場合であっても、各光源71,121,301の１フレームに要する時間が、蛍光ホイール101の１サイクルに要する時間の整数倍とならないようにすることで、上述した効果を得られる。
【００６２】
また、各光源71,121,301の１フレームに要する時間が、蛍光ホイール101の１サイクルに要する時間の整数倍とならないように各光源71,121,301及び蛍光ホイール101を制御する場合において、蛍光ホイール101の１サイクルに要する時間を、各光源71,121,301の１フレームに要する時間で除した数が、無理数（割りきれない数）、あるいは、無理数に近い有理数、つまり、小数点以下の桁数が大きな数となるように各光源71,121,301及び蛍光ホイール101を制御することにより、各光源71,121,301の点灯が複数回繰り返されることで蛍光ホイール101のサイクルと同期してしまう可能性を低くでき、蛍光ホイール101が局所的に熱を帯びることを防止する効果を高めることができる。
【００６３】
なお、蛍光ホイール101の１サイクルに要する時間を、各光源71,121,301の１フレームに要する時間で除した数が無理数に近い有理数となるように各光源71,121,301及び蛍光ホイール101を制御する場合、有理数の小数点以下を３桁以上とするのが好適である。本実施例で使用する表示素子51が１秒間に３０フレームから６０フレームほどのカラー映像を表示可能であるため、各光源71,121,301の点灯周期と蛍光ホイール101のサイクルが数秒間で同期することを防止するためである。
【００６４】
さらに、上述した実施例では、緑色波長帯域光を射出する蛍光ホイール101と、赤色光源121及び青色光源301と、を備えた光源ユニット60について述べているが、この構成に限定されるものでなく、蛍光ホイール101と、この蛍光ホイール101から射出される所定波長帯域光とは波長帯域が異なる光を射出可能な二種類の光源と、を備えた光源ユニット60であればあらゆる種類の光源ユニット60において同一の制御方法を適用することができる。
【００６５】
そして、本発明は、以上の実施例に限定されるものでなく、発明の要旨を逸脱しない範囲で自由に変更、改良が可能である。
【符号の説明】
【００６６】
10   プロジェクタ
11   上面パネル                          12   正面パネル
13   背面パネル                          14   右側パネル
15   左側パネル                          17   排気孔
18   吸気孔                              19   レンズカバー
20   各種端子                            21   入出力コネクタ部
22   入出力インターフェース              23   画像変換部
24   表示エンコーダ                      25   ビデオＲＡＭ
26   表示駆動部                          31   画像圧縮伸長部
32   メモリカード                        35   Ｉｒ受信部
36   Ｉｒ処理部                          37   キー／インジケータ部
38   制御部                              41   光源制御回路
43   冷却ファン駆動制御回路
45   レンズモータ                        47   音声処理部
48   スピーカ                            51   表示素子
60   光源ユニット                        70   励起光照射装置
71   励起光源                            73   コリメータレンズ
75   反射ミラー群                        78   集光レンズ
81   ヒートシンク                        100  蛍光発光装置
101  蛍光ホイール                        103  蛍光体層
110  ホイールモータ                      111  集光レンズ群
120  赤色光源装置
121  赤色光源                            125  集光レンズ群
130  ヒートシンク                        140  光源側光学系
141  第一ダイクロイックミラー            148  第二ダイクロイックミラー
160  光学系ユニット                      161  照明側ブロック
165  画像生成ブロック                    168  投影側ブロック
170  導光光学系                          173  集光レンズ
175  ライトトンネル                      178  集光レンズ
181  光軸変換ミラー                      183  集光レンズ
185  照射ミラー                          190  ヒートシンク
195  集光レンズ                          220  投影側光学系
225  固定レンズ群                        235  可動レンズ群
241  制御回路基板                        261  冷却ファン
300  青色光源装置                        301  青色光源
305  集光レンズ群                        310  ヒートシンク
【図１】
2011095391.tif 000003
【図２】
2011095391.tif 000004
【図３】
2011095391.tif 000005
【図４】
2011095391.tif 000006
【図５】
2011095391.tif 000007
【図６】
2011095391.tif 000008